(57)【要約】【課題】システム全体の消費電力の増大を防ぐことができる空調システム、空調方法、およびプログラムを提供することである。【解決手段】実施形態の空調システムは、躯体熱負荷調整器と、第１配管と、第１バルブと、空調装置と、第２配管と、第２バルブと、空間温度センサと、流体温度センサと、制御部とを持つ。躯体熱負荷調整器は、流路を流れる熱源流体を用いて冷房および暖房を行う。第１バルブを有する第１配管は、躯体熱負荷調整器に熱源流体を通流する。空調装置は、空間内において熱源流体を用いて冷房および暖房を行う。第２バルブを有する第２配管は、空調装置に熱源流体を通流する。制御部は、流体温度センサによって検出される熱源流体の温度が設定流体温度を超えないように、かつ、空間温度センサによって検出される空間の温度を設定空間温度に一致させるように、第１バルブおよび第２バルブの各々の弁開度を制御する。【選択図】図１
2016169927.tif 000002
【特許請求の範囲】
【請求項１】
空間内において外界からの熱的影響を受ける境界領域に配置されるとともに、水平方向に蛇行しながら鉛直方向の上方から下方に向かって伸びる流路を形成するコイルを備え、前記流路を流れる熱源流体を用いて冷房および暖房を行う躯体熱負荷調整器と、
前記躯体熱負荷調整器に前記熱源流体を通流する第１配管と、
前記第１配管において弁開度を変化させる第１バルブと、
前記空間内において前記熱源流体を用いて冷房および暖房を行う空調装置と、
前記空調装置に前記熱源流体を通流する第２配管と、
前記第２配管において弁開度を変化させる第２バルブと、
前記空間の雰囲気の温度を検出する空間温度センサと、
前記第１配管における前記躯体熱負荷調整器の下流側において前記熱源流体の温度を検出する流体温度センサと、
前記流体温度センサによって検出される前記熱源流体の温度が設定流体温度を超えないように、かつ、前記空間温度センサによって検出される前記空間の温度を設定空間温度に一致させるように、前記第１バルブおよび前記第２バルブの各々の弁開度を制御する制御部と、
を備える、
空調システム。
【請求項２】
前記制御部は、
前記流体温度センサによって検出される前記熱源流体の温度が前記設定流体温度に到達した場合に、少なくとも前記第１バルブの弁開度をゼロにする、
請求項１に記載の空調システム。
【請求項３】
前記制御部は、
顕熱負荷処理によって前記第１バルブの弁開度を制御する、
請求項１または請求項２に記載の空調システム。
【請求項４】
前記境界領域の湿度を検出する湿度センサを備え、
前記制御部は、
前記湿度センサによって検出された前記境界領域の湿度が所定湿度よりも高い場合に、少なくとも前記第１バルブの弁開度をゼロにする、
請求項１に記載の空調システム。
【請求項５】
前記第１配管は、
前記第２配管における前記空調装置の下流側に接続されている、
請求項１から請求項４の何れか１つに記載の空調システム。
【請求項６】
前記躯体熱負荷調整器は、
前記コイルを浸漬する伝熱性流体が収容された容器を備える、
請求項１から請求項５の何れか１つに記載の空調システム。
【請求項７】
前記躯体熱負荷調整器の表面を覆う伝熱性部材を備える、
請求項１から請求項６の何れか１つに記載の空調システム。
【請求項８】
前記熱源流体を用いて冷却または加熱した外気を前記空間内に供給する外気処理空調装置と、
前記外気処理空調装置に前記熱源流体を通流する第３配管と、
前記第３配管において弁開度を変化させる第３バルブと、
を備え、
前記制御部は、
前記流体温度センサによって検出される前記熱源流体の温度が設定流体温度を超えないように、かつ、前記空間温度センサによって検出される前記空間の温度を設定空間温度に一致させるように、前記第１バルブ、前記第２バルブ、および前記第３バルブの各々の弁開度を制御する、
請求項１から請求項７の何れか１つに記載の空調システム。
【請求項９】
空間内において外界からの熱的影響を受ける境界領域に配置されるとともに、水平方向に蛇行しながら鉛直方向の上方から下方に向かって伸びる流路を形成するコイルを備え、前記流路を流れる熱源流体を用いて冷房および暖房を行う躯体熱負荷調整器と、
前記空間内において前記熱源流体を用いて冷房および暖房を行う空調装置と、を備える空調システムの制御部が、
前記躯体熱負荷調整器に前記熱源流体を通流する第１配管における前記躯体熱負荷調整器の下流側において流体温度センサによって検出される前記熱源流体の温度を取得するステップと、
前記制御部が、
空間温度センサによって検出される前記空間の温度を取得するステップと、
前記制御部が、
前記熱源流体の温度が設定流体温度を超えないように、かつ、前記空間の温度を設定空間温度に一致させるように、前記第１配管の第１バルブおよび前記空調装置に前記熱源流体を通流する第２配管の第２バルブの各々の弁開度を制御するステップと、
を含む、
空調方法。
【請求項１０】
空間内において外界からの熱的影響を受ける境界領域に配置されるとともに、水平方向に蛇行しながら鉛直方向の上方から下方に向かって伸びる流路を形成するコイルを備え、前記流路を流れる熱源流体を用いて冷房および暖房を行う躯体熱負荷調整器と、
前記空間内において前記熱源流体を用いて冷房および暖房を行う空調装置と、を備える空調システムのコンピュータに、
前記躯体熱負荷調整器に前記熱源流体を通流する第１配管における前記躯体熱負荷調整器の下流側において流体温度センサによって検出される前記熱源流体の温度を取得する動作と、
空間温度センサによって検出される前記空間の温度を取得する動作と、
前記熱源流体の温度が設定流体温度を超えないように、かつ、前記空間の温度を設定空間温度に一致させるように、前記第１配管の第１バルブおよび前記空調装置に前記熱源流体を通流する第２配管の第２バルブの各々の弁開度を制御する動作と、
を実行させる、
プログラム。
【発明の詳細な説明】
【技術分野】
【０００１】
本発明の実施形態は、空調システム、空調方法、およびプログラムに関する。
【背景技術】
【０００２】
従来、空間内を所望の空調状態に維持するために、外界からの熱的影響を受ける境界領域（いわゆるペリメータゾーン）および境界領域以外の領域（いわゆるインテリアゾーン）の各々に空調機を設ける空調システムがある。しなしながら、ペリメータゾーンにおける熱負荷の変動が大きい場合には、ペリメータゾーンの空調機の消費電力が増大することに伴って、システム全体の消費電力が増大する可能性があった。
【先行技術文献】
【特許文献】
【０００３】
【特許文献１】特開平４−３５９７９３号公報
【発明の概要】
【発明が解決しようとする課題】
【０００４】
本発明が解決しようとする課題は、システム全体の消費電力の増大を防ぐことができる空調システム、空調方法、およびプログラムを提供することである。
【課題を解決するための手段】
【０００５】
実施形態の空調システムは、躯体熱負荷調整器と、第１配管と、第１バルブと、空調装置と、第２配管と、第２バルブと、空間温度センサと、流体温度センサと、制御部とを持つ。躯体熱負荷調整器は、空間内において外界からの熱的影響を受ける境界領域に配置される。躯体熱負荷調整器は、水平方向に蛇行しながら鉛直方向の上方から下方に向かって伸びる流路を形成するコイルを備える。躯体熱負荷調整器は、流路を流れる熱源流体を用いて冷房および暖房を行う。第１配管は、躯体熱負荷調整器に熱源流体を通流する。第１バルブは、第１配管において弁開度を変化させる。空調装置は、空間内において熱源流体を用いて冷房および暖房を行う。第２配管は、空調装置に熱源流体を通流する。第２バルブは、第２配管において弁開度を変化させる。空間温度センサは、空間の温度を検出する。流体温度センサは、第１配管における躯体熱負荷調整器の下流側において熱源流体の温度を検出する。制御部は、流体温度センサによって検出される熱源流体の温度が設定流体温度を超えないように、かつ、空間温度センサによって検出される空間の温度を設定空間温度に一致させるように、第１バルブおよび第２バルブの各々の弁開度を制御する。
【図面の簡単な説明】
【０００６】
【図１】実施形態の空調システムの構成を模式的に示す図。
【図２】実施形態の空調システムの各ダクトの構成を模式的に示す図。
【図３】実施形態の空調システムの躯体熱負荷調整器の配置を模式的に示す断面図。
【図４】実施形態の空調システムの躯体熱負荷調整器の構成を模式的に示す正面図。
【図５】実施形態の空調システムの躯体熱負荷調整器のコイルにより形成される流路を模式的に示す平面図。
【図６】実施形態の空調システムの躯体熱負荷調整器の構成を模式的に示す上面図。
【図７】実施形態の空調システムの躯体熱負荷調整器のコイルを収容する容器を模式的に示す正面図。
【図８】実施形態の空調システムの運転モードの例を示す図。
【図９】実施形態の空調システムの各バルブの弁開度と空間の雰囲気の温度との対応関係の一例を示す図。
【図１０】実施形態の空調システムの第１暖房用バルブおよび第１冷房用バルブの弁開度と躯体熱負荷調整器から排出される熱源流体の温度（熱源還り温度）との対応関係の一例を示す図。
【図１１】実施形態の空調システムの躯体熱負荷調整器の顕熱負荷処理を説明する図。
【図１２】実施形態の変形例に係る空調システムの構成を模式的に示す図。
【発明を実施するための形態】
【０００７】
以下、実施形態の空調システム、空調方法、およびプログラムを、図面を参照して説明する。
【０００８】
実施形態の空調システム１０は、図１に示すように、同一空間内において暖房および冷房を行う複数の躯体熱負荷調整器１１と、レタン空調装置１２と、外気処理空調装置１３と、制御装置１４とを備える。
【０００９】
複数の躯体熱負荷調整器１１は、少なくとも１対の暖房用の躯体熱負荷調整器１１および冷房用の躯体熱負荷調整器１１を備えている。暖房用の躯体熱負荷調整器１１および冷房用の躯体熱負荷調整器１１には、地域冷暖房センターから供給される暖房用および冷房用の熱源流体を通流する第１暖房用供給配管２１および第１冷房用供給配管２２が接続されている。暖房用の躯体熱負荷調整器１１および冷房用の躯体熱負荷調整器１１には、地域冷暖房センターに排出する暖房用および冷房用の熱源流体を通流する第１暖房用排出配管２３および第１冷房用排出配管２４が接続されている。
【００１０】
第１暖房用排出配管２３には、弁開度が変化する第１暖房用バルブ２５が設けられている。第１冷房用排出配管２４には、弁開度が変化する第１冷房用バルブ２６が設けられている。第１暖房用バルブ２５および第１冷房用バルブ２６の弁開度は、制御装置１４によって制御される。
第１暖房用排出配管２３には、暖房用の躯体熱負荷調整器１１から排出される暖房用の熱源流体の温度（ＴＥ）を検出する暖房用流体温度センサ２７が設けられている。第１冷房用排出配管２４には、冷房用の躯体熱負荷調整器１１から排出される冷房用の熱源流体の温度（ＴＥ）を検出する冷房用流体温度センサ２８が設けられている。暖房用流体温度センサ２７および冷房用流体温度センサ２８は、検出信号を制御装置１４に出力する。
【００１１】
レタン空調装置１２には、地域冷暖房センターから供給される暖房用および冷房用の熱源流体を通流する第２暖房用供給配管３１および第２冷房用供給配管３２が接続されている。レタン空調装置１２には、地域冷暖房センターに排出する暖房用および冷房用の熱源流体を通流する第２暖房用排出配管３３および第２冷房用排出配管３４が接続されている。第２暖房用排出配管３３には、弁開度が変化する第２暖房用バルブ３５が設けられている。第２冷房用排出配管３４には、弁開度が変化する第２冷房用バルブ３６が設けられている。第２暖房用バルブ３５および第２冷房用バルブ３６の弁開度は、制御装置１４によって制御される。
【００１２】
外気処理空調装置１３には、地域冷暖房センターから供給される暖房用および冷房用の熱源流体を通流する第３暖房用供給配管４１および第３冷房用供給配管４２が接続されている。外気処理空調装置１３には、地域冷暖房センターに排出する暖房用および冷房用の熱源流体を通流する第３暖房用排出配管４３および第３冷房用排出配管４４が接続されている。第３暖房用排出配管４３には、弁開度が変化する第３暖房用バルブ４５が設けられている。第３冷房用排出配管４４には、弁開度が変化する第３冷房用バルブ４６が設けられている。第３暖房用バルブ４５および第３冷房用バルブ４６の弁開度は、制御装置１４によって制御される。
【００１３】
複数の躯体熱負荷調整器１１と、レタン空調装置１２と、外気処理空調装置１３とによって暖房および冷房が行われる空間の雰囲気の温度（Ｔ）を検出する空間温度センサ５１は、検出信号を制御装置１４に出力する。
【００１４】
レタン空調装置１２および外気処理空調装置１３は、図２に示すように、暖房および冷房の対象となる空間に設けられるインテリア系統６０に送風による給気を行う。インテリア系統６０は、暖房および冷房の対象となる空間内において外界からの熱的影響を受ける境界領域（いわゆるペリメータゾーン）以外の領域（いわゆるインテリアゾーン）に配置されている。インテリア系統６０は、空間内に給気を行う複数の給気口および空間内から吸気する複数の吸気口などを備えている。外気処理空調装置１３は、外気ダクト６１から外気を取り込み、熱源流体を用いて冷却または加熱した外気を給気ダクト６２から排出する。外気ダクト６１には、外気の温度および湿度を検出する温湿度センサ６１ａが設けられている。温湿度センサ６１ａは、検出信号を制御装置１４に出力する。
【００１５】
外気処理空調装置１３の給気ダクト６２と、レタン空調装置１２の給気ダクト６３とは、インテリア系統６０に給気を行う給気ダクト６４に接続されている。給気ダクト６４には、インテリア系統６０に供給される空気の静圧を検出する静圧センサ６４ａ、並びに温度および湿度を検出する温湿度センサ６４ｂが設けられている。静圧センサ６４ａおよび温湿度センサ６４ｂは、検出信号を制御装置１４に出力する。
【００１６】
レタン空調装置１２は、還気ダクト６５によってインテリア系統６０から空気（還り空気）を取り込み、還り空気の一部を排気ダクト６６から外部に排出するとともに、熱源流体を用いて冷却または加熱した返り空気を給気ダクト６３から排出する。排気ダクト６６には、排気の二酸化炭素濃度を検出するＣＯ２センサ６６ａが設けられている。ＣＯ２センサ６６ａは、検出信号を制御装置１４に出力する。
【００１７】
躯体熱負荷調整器１１は、暖房および冷房の対象となる空間内において外界からの熱的影響を受ける境界領域（いわゆるペリメータゾーン）に配置されている。躯体熱負荷調整器１１は、図３に示すように、床部７１、天井部７２、および壁部によって区画された室内において、外界から空間を仕切る壁部に配置されている。壁部は、例えば、外界から順に、外壁７３、コンクリート壁７４、および断熱材７５を備えている。躯体熱負荷調整器１１の表面は、伝熱性部材７６によって覆われている。伝熱性部材７６は、例えば、セラミックスパネル、および金属パネルなどである。
躯体熱負荷調整器１１に接続される第１暖房用供給配管２１および第１冷房用供給配管２２は、例えば、レタン空調装置１２および各種バルブなどが収容される機械室７７から天井部７２の内部に配置されている。躯体熱負荷調整器１１に接続される第１暖房用排出配管２３および第１冷房用排出配管２４は、例えば、機械室７７に向かって床部７１の内部に配置されている。
【００１８】
躯体熱負荷調整器１１は、図４から図７に示すように、第１ヘッダー８１、第２ヘッダー８２、コイル（熱交換器）８３、容器８４、および伝熱性流体８５を備える。
第１ヘッダー８１は、第１暖房用供給配管２１または第１冷房用供給配管２２が接続される供給口８１ａを上部に備えている。第２ヘッダー８２は、第１暖房用排出配管２３または第１冷房用排出配管２４が接続される排出口８２ａを下部に備えている。第１ヘッダー８１および第２ヘッダー８２は、コイル８３の幅方向の両端に配置されている。
コイル８３の外形は、例えば、波板状に形成されている。コイル８３は、第１ヘッダー８１および第２ヘッダー８２によって幅方向の両側から挟み込まれている。コイル８３の両端の入口および出口は、第１ヘッダー８１の供給口８１ａおよび第２ヘッダー８２の排出口８２ａに接続されている。コイル８３は、図５に示すように、水平方向に蛇行しながら鉛直方向の上方から下方に向かって伸びる流路を形成する。コイル８３内に導入される熱源流体は、重力によって流れる。第１ヘッダー８１、第２ヘッダー８２、およびコイル８３は、図７に示すように、容器８４内に収容された伝熱性流体８５に浸漬されている。伝熱性流体８５は、例えば、高伝熱ゲルなどである。
【００１９】
制御装置１４は、ＣＯ２センサ６６ａによって検出される排気の二酸化炭素濃度に応じたインバータ制御によって、外気処理空調装置１３の送風動力を制御する。
制御装置１４は、静圧センサ６４ａによって検出される給気の静圧に応じたインバータ制御によって、レタン空調装置１２の送風動力を制御する。
【００２０】
制御装置１４は、空間温度センサ５１によって検出される空間の雰囲気の温度を設定空間温度に一致させる際に、少なくともレタン空調装置１２に比べて、躯体熱負荷調整器１１を優先的に用いる。
制御装置１４は、図８に示すように、中間期の冷房運転の第１運転モードＭ１では、躯体熱負荷調整器１１およびレタン空調装置１２を停止状態とし、外気処理空調装置１３を外気送風状態とする。制御装置１４は、熱源流体の通流ルートのモードを配管ルートＲ３とする。制御装置１４は、第１暖房用バルブ２５および第１冷房用バルブ２６の弁開度をゼロにすることによって、躯体熱負荷調整器１１に対する熱源流体の通流を停止する。制御装置１４は、第２暖房用バルブ３５および第２冷房用バルブ３６の弁開度をゼロにすることによって、レタン空調装置１２に対する熱源流体の通流を停止する。制御装置１４は、第３暖房用バルブ４５および第３冷房用バルブ４６の弁開度をゼロにすることによって、外気処理空調装置１３に対する熱源流体の通流を停止する。外気処理空調装置１３は、外気を冷却せずに直接的に給気を行う。
制御装置１４は、中間期の冷房運転の第２運転モードＭ２では、躯体熱負荷調整器１１を冷却状態とし、レタン空調装置１２を停止状態とし、外気処理空調装置１３を外気送風状態とする。制御装置１４は、熱源流体の通流ルートのモードを配管ルートＲ２とする。制御装置１４は、躯体熱負荷調整器１１の冷却状態において、第１冷房用バルブ２６の弁開度を制御して、躯体熱負荷調整器１１に対して冷房用の熱源流体を通流する。
【００２１】
制御装置１４は、夏季の冷房運転の第３運転モードＭ３では、躯体熱負荷調整器１１およびレタン空調装置１２を冷却状態とし、外気処理空調装置１３を外気送風状態とする。制御装置１４は、熱源流体の通流ルートのモードを配管ルートＲ１とする。制御装置１４は、レタン空調装置１２の冷却状態において、第２冷房用バルブ３６の弁開度を制御して、レタン空調装置１２に対して冷房用の熱源流体を通流する。
制御装置１４は、夏季の冷房運転の第４運転モードＭ４では、躯体熱負荷調整器１１および外気処理空調装置１３を冷却状態とし、レタン空調装置１２を停止状態とする。制御装置１４は、熱源流体の通流ルートのモードを配管ルートＲ２とする。制御装置１４は、外気処理空調装置１３の冷却状態において、第３冷房用バルブ４６の弁開度を制御して、外気処理空調装置１３に対して冷房用の熱源流体を通流する。外気処理空調装置１３は、外気を冷却して給気を行う。
制御装置１４は、夏季の冷房運転の第５運転モードＭ５では、躯体熱負荷調整器１１、レタン空調装置１２、および外気処理空調装置１３を冷却状態とする。制御装置１４は、熱源流体の通流ルートのモードを配管ルートＲ１とする。
【００２２】
制御装置１４は、中間期の暖房運転の第６運転モードＭ６では、躯体熱負荷調整器１１およびレタン空調装置１２を停止状態とし、外気処理空調装置１３を加熱状態とする。制御装置１４は、熱源流体の通流ルートのモードを配管ルートＲ３とする。制御装置１４は、外気処理空調装置１３の加熱状態において、第３暖房用バルブ４５の弁開度を制御して、外気処理空調装置１３に対して暖房用の熱源流体を通流する。外気処理空調装置１３は、外気を加熱して給気を行う。
【００２３】
制御装置１４は、冬季の暖房運転の第７運転モードＭ７では、躯体熱負荷調整器１１および外気処理空調装置１３を加熱状態とし、レタン空調装置１２を停止状態とする。制御装置１４は、熱源流体の通流ルートのモードを配管ルートＲ２とする。制御装置１４は、躯体熱負荷調整器１１の加熱状態において、第１暖房用バルブ２５の弁開度を制御して、躯体熱負荷調整器１１に対して暖房用の熱源流体を通流する。
制御装置１４は、冬季の暖房運転の第８運転モードＭ８では、躯体熱負荷調整器１１、レタン空調装置１２、および外気処理空調装置１３を加熱状態とする。制御装置１４は、熱源流体の通流ルートのモードを配管ルートＲ１とする。制御装置１４は、レタン空調装置１２の加熱状態において、第２暖房用バルブ３５の弁開度を制御して、レタン空調装置１２に対して暖房用の熱源流体を通流する。
【００２４】
制御装置１４は、図９に示すように、空間温度センサ５１によって検出される空間の雰囲気の温度（室内温度）を設定温度に一致させるように、各バルブ２５，２６，３５，３６，４５，４６の弁開度を制御する。制御装置１４は、例えば、比例制御などによって各バルブ２５，２６，３５，３６，４５，４６の弁開度を制御する。
【００２５】
制御装置１４は、図１０に示すように、各流体温度センサ２７，２８によって検出される熱源流体の温度（熱源還り温度）が設定流体温度を超えないように、第１暖房用バルブ２５および第１冷房用バルブ２６の各々の弁開度を制御する。設定流体温度は、例えば、熱源流体の還り温度に対する契約温度（還り設定温度）などである。制御装置１４は、各流体温度センサ２７，２８によって検出される熱源流体の温度が設定流体温度に到達した場合に、少なくとも第１暖房用バルブ２５および第１冷房用バルブ２６の弁開度をゼロにする。
【００２６】
制御装置１４は、躯体熱負荷調整器１１における外気条件による熱負荷が伝熱によるものであるとして、温度をパラメータとする顕熱負荷処理によって少なくとも第１暖房用バルブ２５および第１冷房用バルブ２６の弁開度を制御する。制御装置１４は、例えば、躯体熱負荷調整器１１が設置される壁部において、壁面に籠った熱は基本的に熱伝導によるものであるとして、躯体熱負荷調整器１１の放射によって顕熱負荷を処理する。制御装置１４は、図１１に示すように、外界からの熱的影響を受ける境界領域（いわゆるペリメータゾーン）の温度を、夏季または冬季における所定温度に一致させるように、温度をパラメータとする制御を行う。制御装置１４は、例えば、夏季の境界領域の温度（３３℃など）を、所定温度状態（温度２６℃、湿度５０％など）に低下させる。制御装置１４は、例えば、冬季の境界領域の温度（１１℃など）を、所定温度状態（温度２２℃、湿度４０％など）に増大させる。
【００２７】
以上説明した実施形態によれば、熱源流体を用いて冷房および暖房を行うレタン空調装置１２および躯体熱負荷調整器１１を持つことにより、外界からの熱的影響を受ける境界領域の熱負荷を効率良く処理し、システム全体の消費電力の増大を防ぐことができる。躯体熱負荷調整器１１を持つことにより、例えば、外気条件を処理するペリメータ空調機を不要とし、ペリメータ空調機の設備費および動力費を削減することができる。躯体熱負荷調整器１１は、自然風速で温度を拡散する熱放射によって熱負荷を調整するので、風量が変動する空調機に比べて、人に不快感を与えることを防ぐことができる。
【００２８】
コイル８３を伝熱性流体８５に浸漬する容器８４を持つので、伝熱面積および伝熱効率を増大させることができる。
躯体熱負荷調整器１１の表面を覆う伝熱性部材７６を持つので、室内のデザイン性を確保しつつ伝熱効率を向上させることができる。
【００２９】
躯体熱負荷調整器１１を優先的に用いる制御装置１４を持つので、地域冷暖房センターから供給される熱源流体を最大限に用いて冷房および暖房を行うことができる。レタン空調装置１２および外気処理空調装置１３の各々の動力ファンの駆動を抑制することによって、システム全体の消費電力を削減することができる。
熱源流体の温度が設定流体温度に到達した場合に、第１暖房用バルブ２５および第１冷房用バルブ２６の弁開度をゼロにする制御装置１４を持つので、熱源還り温度が設定流体温度を超えてしまうことを防ぐことができる。
【００３０】
以下、変形例について説明する。
上述した実施形態の空調システム１０は、外気処理空調装置１３を備えるとしたが、これに限定されず、外気処理空調装置１３は省略されてもよい。
【００３１】
上述した実施形態では、第１暖房用供給配管２１および第１冷房用供給配管２２は、地域冷暖房センターから供給される暖房用および冷房用の熱源流体を通流するとしたが、これに限定されない。第１暖房用供給配管２１および第１冷房用供給配管２２は、レタン空調装置１２から排出される暖房用および冷房用の熱源流体を通流してもよい。
変形例に係る空調システム１０は、図１２に示すように、第２暖房用排出配管３３および第２冷房用排出配管３４に接続される第１暖房用供給配管２１および第１冷房用供給配管２２を備えている。第１暖房用供給配管２１は、第２暖房用排出配管３３においてレタン空調装置１２と第２暖房用バルブ３５との間に接続されている。第１冷房用供給配管２２は、第２冷房用排出配管３４においてレタン空調装置１２と第２冷房用バルブ３６との間に接続されている。
この変形例によれば、地域冷暖房センターから供給される熱源流体を最大限に用いて冷房および暖房を行うことができ、熱源効率を向上させることができる。
【００３２】
上述した実施形態では、躯体熱負荷調整器１１が設置される境界領域の湿度を検出する湿度センサを備えてもよい。
制御装置１４は、湿度センサによって検出される境界領域の湿度が所定湿度よりも高い場合に、少なくとも第１暖房用バルブ２５および第１冷房用バルブ２６の弁開度をゼロにしてもよい。
この変形例によれば、例えば、躯体熱負荷調整器１１が設置される壁部における結露の発生を防ぐことができる。
【００３３】
上述した実施形態において、制御装置１４は、プログラムを実行することで機能してもよい。プログラムは、コンピュータ読み取り可能な記録媒体に記録されてもよいし、電気通信回線を介して送信されてもよい。記録媒体は、例えば、フレキシブルディスク、光磁気ディスク、ＲＯＭ、ＣＤ−ＲＯＭ等の可搬媒体、コンピュータシステムに内蔵されるハードディスク等の記憶装置である。
上述した実施形態において、制御装置１４の機能の全て又は一部は、ハードウェアによって実現されてもよい。ハードウェアは、例えば、ＬＳＩ（Large Scale Integration）、ＡＳＩＣ（Application Specific Integrated Circuit）、ＰＬＤ（Programmable Logic Device）、またはＦＰＧＡ（Field Programmable Gate Array）等である。
【００３４】
以上説明した少なくともひとつの実施形態によれば、熱源流体を用いて冷房および暖房を行うレタン空調装置１２および躯体熱負荷調整器１１を持つことにより、外界からの熱的影響を受ける境界領域の熱負荷を効率良く処理し、システム全体の消費電力の増大を防ぐことができる。躯体熱負荷調整器１１を持つことにより、例えば、外気条件を処理するペリメータ空調機を不要とし、ペリメータ空調機の設備費および動力費を削減することができる。躯体熱負荷調整器１１は、自然風速で温度を拡散する熱放射によって熱負荷を調整するので、風量が変動する空調機に比べて、人に不快感を与えることを防ぐことができる。
【００３５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３６】
１０…空調システム、１１…躯体熱負荷調整器、１２…レタン空調装置、１３…外気処理空調装置、１４…制御装置、２１…第１暖房用供給配管、２２…第１冷房用供給配管、２３…第１暖房用排出配管、２４…第１冷房用排出配管、２５…第１暖房用バルブ、２６…第１冷房用バルブ、２７…第１暖房用流体温度センサ、２８…第１冷房用流体温度センサ、３１…第２暖房用供給配管、３２…第２冷房用供給配管、３３…第２暖房用排出配管、３４…第２冷房用排出配管、３５…第２暖房用バルブ、３６…第２冷房用バルブ、４１…第３暖房用供給配管、４２…第３冷房用供給配管、４３…第３暖房用排出配管、４４…第３冷房用排出配管、４５…第３暖房用バルブ、４６…第３冷房用バルブ、５１…空間温度センサ
【図１】
2016169927.tif 000003
【図２】
2016169927.tif 000004
【図３】
2016169927.tif 000005
【図４】
2016169927.tif 000006
【図５】
2016169927.tif 000007
【図６】
2016169927.tif 000008
【図７】
2016169927.tif 000009
【図８】
2016169927.tif 000010
【図９】
2016169927.tif 000011
【図１０】
2016169927.tif 000012
【図１１】
2016169927.tif 000013
【図１２】
2016169927.tif 000014